(57)【要約】【課題】作業人及びスタッフの負担を軽減する。【解決手段】遠隔操作装置１は、音の出力を遠隔指示するためのものであって、音の出力を指示するための音出力信号を入力する送信部２と、送信部２から送信した音出力信号を受信し、受信した音出力信号に基づいた音出力命令信号を外部音響機器４に出力する受信部３とから構成される。また、これら送信部２と受信部３と無線接続されている。送信部２には、音出力信号を入力するための入力部２１が設けられている。入力部２１は、音出力信号を入力するための８つの入力部２１１，２１２，２１３，２１４，２１５，２１６，２１７，２１８がそれぞれ独立して設けられて構成される。【選択図】  図１
2007068134.tif 000002
【特許請求の範囲】
【請求項１】
音の出力を遠隔指示するための遠隔操作装置であって、
音の出力を指示するための音出力信号を入力する送信部と、前記送信部と無線接続され、
前記送信部から送信した前記音出力信号を受信し、受信した前記音出力信号に基づいた音出力命令信号を音出力部を有する外部音響機器に出力する受信部とから構成され、
前記送信部には、前記音出力信号を入力するための入力部が複数独立して設けられ、
前記複数の入力部から入力した前記各音出力信号は、それぞれ独立して前記送信部から前記受信部に送信され、前記受信部に送信された前記各音出力信号それぞれに基づいた前記各音出力命令信号が前記受信部から外部音響機器に出力されることを特徴とする遠隔操作装置。
【請求項２】
前記送信部と前記受信部とは、前記複数の入力部の少なくとも１つから入力した前記音出力信号を前記送信部から前記受信部に送信することで、通信状態とされ、
前記送信部と前記受信部とは、一度前記通信状態とした後に自動的に非通信状態となり、その後に再度前記通信状態とした際にこの通信状態を続けるように設定されたことを特徴とする請求項１に記載の遠隔操作装置。
【請求項３】
前記入力部には、押すことで前記音出力信号を入力するスイッチ部が設けられたことを特徴とする請求項１または２に記載の遠隔操作装置。
【発明の詳細な説明】
【技術分野】
【０００１】  本発明は、遠隔操作装置に関する。
【背景技術】
【０００２】  従来、演劇や舞台やコンサートなどで用いられている音響設備は、音響担当のスタッフが管理している。そのため、これら演劇や舞台やコンサートなどの演者は、事前に音響担当のスタッフと打合せを行い、演者のパフォーマンスとの音合わせを行なっている。
【発明の開示】
【発明が解決しようとする課題】
【０００３】  しかしながら、事前に演者と音響担当のスタッフとが打合せを行っていても、上演中では、更に演者と音響担当のスタッフとの意思の疎通を図ることが重要となる。この意思の疎通は、上演中、演者と音響担当のスタッフとが声を出して合図して図るわけにはいかず、このことは、演者と音響担当のスタッフとにとってかなりの負担となっている。
また、上演中に演劇者の音響に関する思想が必ずしも映されるわけではない。具体的に、これら演劇や舞台やコンサートなどはライブで行なわれるため、事前に打合せを行ったスケジュール通りに演劇が行なわれない場合が多々ある。すなわち、その場の演劇をアドリブで行なう必要があり、即興のアドリブによって演劇が進行する。そのため、音響担当のスタッフは、この演者のアドリブに合わせて音（例えば、効果音など）を出力しなければならず、このことは音響担当のスタッフにとってかなりの負担となっている。また、演者においても、音の出力に合わせてアドリブのパフォーマンスを行なわなければならず、このことは音響担当のスタッフにとってかなりの負担となっている。
そこで、上記課題を解決するために、本発明は、作業人（例えば、演者や患者など）及びスタッフ（例えば、音響担当や医療担当）の負担を軽減する遠隔操作装置を提供することを目的とする。
【課題を解決するための手段】
【０００４】  上記の目的を達成するため、本発明にかかる遠隔操作装置は、音の出力を遠隔指示するための遠隔操作装置であって、音の出力を指示するための音出力信号を入力する送信部と、前記送信部と無線接続され、前記送信部から送信した前記音出力信号を受信し、受信した前記音出力信号に基づいた音出力命令信号を音出力部を有する外部音響機器に出力する受信部とから構成され、前記送信部には、前記音出力信号を入力するための入力部が複数独立して設けられ、前記複数の入力部から入力した前記各音出力信号は、それぞれ独立して前記送信部から前記受信部に送信され、前記受信部に送信された前記各音出力信号それぞれに基づいた前記各音出力命令信号が前記受信部から外部音響機器に出力されることを特徴とする。
本発明によれば、音の出力を遠隔指示するための遠隔操作装置であって、前記音出力信号を入力するための入力部が複数独立して設けられた送信部と受信部とが無線接続され、前記複数の入力部から入力した前記各音出力信号は、それぞれ独立して前記送信部から前記受信部に送信され、前記受信部に送信された前記各音出力信号それぞれに基づいた前記各音出力命令信号が前記受信部から外部音響機器に出力されるので、作業人（例えば、演者や患者など）及びスタッフ（例えば、音響担当や医療担当）の負担を軽減することが可能となる。
すなわち、本発明にかかる遠隔操作装置を、娯楽や演劇の分野で用いた場合、前記送信部を、音の出力を指示する演者に持たせることで、演者が前記入力部から入力した音出力信号が、前記送信部から前記受信部に送信され、前記音出力信号に基づいた前記音出力命令信号が前記受信部から外部音響機器に出力されて、演者が欲する音が出力される。そのため、作業人が演者の場合、上演中に演者の音響に関する思想をそのまま反映させて音を発することが可能となる。また、演者の音を発する指示を音響担当のスタッフが確認する必要がない。また、演者と音響担当のスタッフとの事前の音合わせの打合せ内容を軽減することが可能となり、音合わせにかかる費用を抑制することが可能となる。また、本発明によれば、前記送信部に前記音出力信号を入力するための入力部が複数独立して設けられているので、前記入力部を、入力部２１を付けたい演者の身体の各部位に対応する位置に付し、前記入力部２１を付けたい各部位（例えば、ジャケットの裏側の袖部や胸部、または靴の中などに付し）に付した前記入力部における前記各音出力信号による各音出力の内容を変えることで、演者の自然なしぐさに伴って前記各入力部のいずれかから前記音出力信号を入力することが可能となる。そのため、演技の邪魔をせずに演者による音の出力指示を行なうことが容易になる。また、これは、観客を交えた演劇中の際、観客はどのようにして音が発しているのか分からず、観客の興味をひかせるのに好適である。なお、ここでは、演劇や舞台やコンサートなどの音響機器に用いた場合について、使用場所は限定されるものではなく、遊具として用いてもよく、また下記するようにリハビリテーション用装置として用いてもよい。
また、本発明にかかる遠隔操作装置を、医療の分野（例えば、リハビリテーションなど）で用いた場合、前記送信部を、音の出力指示を行なう患者に持たせることで、患者がｈ前記入力部から入力した音出力信号が、前記送信部から前記受信部に送信され、前記音出力信号に基づいた前記音出力命令信号が前記受信部から外部音響機器に出力されて、患者が入力した前記音出力信号に基づく音が出力される。これは、患者の身体の各部位（例えば、手足など）が正常に動くか否かを検査する際に有効に利用可能である。また、本発明によれば、前記送信部に前記音出力信号を入力するための入力部が複数独立して設けられているので、前記入力部を、検査を行いたい身体の各部位に対応する位置に付し、前記各部位に付した前記入力部における前記各音出力信号による各音出力の内容を変えることで、患者の各部位が正常に動いているか否かを、スタッフ（医者や看護士など）だけでなく、患者自身も確認することが可能となり、患者のリハビリテーションの意欲を高めるのに好ましい。
前記構成において、前記送信部と前記受信部とは、前記複数の入力部の少なくとも１つから入力した前記音出力信号を前記送信部から前記受信部に送信することで、通信状態とされ、前記送信部と前記受信部とは、一度前記通信状態とした後に自動的に非通信状態となり、その後に再度前記通信状態とした際にこの通信状態を続けるように設定されてもよい。
この場合、前記送信部と前記受信部とは、前記複数の入力部の少なくとも１つから入力した前記音出力信号を前記送信部から前記受信部に送信することで、通信状態とされ、前記送信部と前記受信部とは、一度前記通信状態とした後に自動的に非通信状態となり、その後に再度前記通信状態とした際にこの通信状態を続けるように設定されるので、２回目の通信状態以降、前記送信部と受信部とが常に通信状態として非通信状態における音の入力と出力とのタイムラグを無くすことが可能となる。すなわち、特に、本発明にかかる遠隔操作装置を、娯楽や演劇の分野で用いた場合、前記入力部からの前記音出力信号の入力と、外部音響機器からの音出力とのタイムラグを無くすことで、上演中に演者の音響に関する思想をそのまま反映させて音を発するのに好ましい。また、本発明では、２度通信状態とするので、最初の通信状態において前記各入力部への音出力信号の入力に対する外部音響機器から発する音の確認を行なうことが可能となり、娯楽や演劇の分野で用いるのに好ましい。
前記構成において、前記入力部には、押すことで前記音出力信号を入力するスイッチ部が設けられてもよい。
この場合、前記入力部にはスイッチ部が設けられるので、前記音出力信号の入力を作業人（例えば、演者など）の動作や仕草により容易に行なうことが可能となる。
【発明の効果】
【０００５】  本発明にかかる遠隔操作装置によれば、作業人（例えば、演者や患者など）及びスタッフ（例えば、音響担当や医療担当）の負担を軽減することが可能となる。
【発明を実施するための最良の形態】
【０００６】  以下、本発明の実施例について図面を参照して説明する。
本実施例にかかる遠隔操作装置１は、音の出力を遠隔指示するための遠隔操作装置であって、図１に示すように、音の出力を指示するための音出力信号を入力する送信部２と、送信部２から送信した音出力信号を受信し、受信した音出力信号に基づいた音出力命令信号を外部音響機器４に出力する受信部３とから構成される。また、これら送信部２と受信部３と無線接続されている。また、本実施例では、遠隔操作装置１の受信部３と直接接続される外部音響機器４として、ローランド株式会社製のサンプラーＳＰ−３０３を用いている。このローランド株式会社製のサンプラーＳＰ−３０３と、スピーカ（本発明でいう外部音響機器の音出力部）と、が直接／間接接続されている。
送信部２には、音出力信号を入力するための入力部２１と、入力部２１を接続するための入力部接続端子２２と、送信部２を制御するとともに、入力部２１から入力した音出力信号がいずれの入力部（２１１，２１２，２１３，２１４，２１５，２１６，２１７，２１８、下記参照）から入力されたかを判断して送信部２に送信する送信ユニット２３と、送信部２の電源をＯＮ／ＯＦＦする電源スイッチ部２４と、送信部２に電源を供給する電源部２５と、音出力信号を受信部３に送信するためのアンテナ部２６と、が設けられている。
入力部２１は、音出力信号を入力するための８つの入力部２１１，２１２，２１３，２１４，２１５，２１６，２１７，２１８がそれぞれ独立して設けられて構成される。具体的に、これら８つの入力部２１１，２１２，２１３，２１４，２１５，２１６，２１７，２１８は、送信部２に設けられた入力部接続端子２２を介して装脱可能に接続されている。また、この入力部接続端子２２として、Ｄ−ＳＵＢ９ピンを用いており、９ピンのうち８ピンを８つそれぞれの入力部２１１，２１２，２１３，２１４，２１５，２１６，２１７，２１８に対応させ、残りの１ピンをグランド用ピンとして用いている。
電源部２５には、送信部２が携帯可能な構成とするため乾電池やバッテリーなどが用いられている。
入力部２１には、押すことで音出力信号を入力するスイッチ部（図示省略）が設けられている。ここでいう入力部として、例えば、手のひらサイズの形状のものや、靴の中に入れることが可能な板ガムサイズの形状のものなどが用いられる。
受信部３には、送信部２から送信された音出力信号を受信するためのアンテナ部３１と、受信部３を制御するとともに、アンテナ部３１で受信した音出力信号がいずれの入力部２１１，２１２，２１３，２１４，２１５，２１６，２１７，２１８から入力されたかを判断し、各入力部２１１，２１２，２１３，２１４，２１５，２１６，２１７，２１８から入力した音出力信号それぞれに基づいた各音出力命令信号を外部音響機器４に出力する受信ユニット３２と、受信部３の電源をＯＮ／ＯＦＦする電源スイッチ部３３と、受信部３に電源を供給する電源部３４と、が設けられている。
電源部３４は、例えば建物内で用いる場合を想定したＡＣ電源と、例えば車で用いる場合を想定したＤＣ電源との少なくとも一方から構成されている。
上記したような構成からなる遠隔操作装置１では、８つの入力部２１１，２１２，２１３，２１４，２１５，２１６，２１７，２１８から入力した各音出力信号は、それぞれ独立して送信部２から受信部３に送信される。そして、受信部３に送信された各音出力信号それぞれに基づいた各音出力命令信号が受信部３から外部音響機器４に出力される。
具体的に、まず、作業者によって、８つの入力部２１１，２１２，２１３，２１４，２１５，２１６，２１７，２１８に対応するそれぞれの音源が外部音響機器４に記憶設定される。そして、送信部２の電源部２５と受信部３の電源部３４をＯＮ状態とし、８つの入力部２１１，２１２，２１３，２１４，２１５，２１６，２１７，２１８のうちいずれかの入力部から音出力信号を入力すると、図２（ａ）に示すように、０．１〜０．５のタイムラグをもって外部音響機器４のスピーカから入力を行った入力部２１１，２１２，２１３，２１４，２１５，２１６，２１７，２１８に対応した音が発する（この状態を本発明でいう通信状態という）。そして、その後予め設定された時間（本実施例では、１０秒）経過する間に何の信号も入力しない場合、遠隔操作装置１の受信部３の電源部３４がオフ状態となる（本発明でいう自動的に非通信状態になるに相当）。そして、再度、送信部２の入力部２１１，２１２，２１３，２１４，２１５，２１６，２１７，２１８のいずれかから音出力信号を入力した場合、受信部３では再度電源部３４がＯＮ状態となり、通信状態となる。なお、この時の受信部３の電源立ち上がり時間に約０．５秒かかる。そして、この遠隔操作装置１では、その後、送信部２の入力部２１からの音出力信号の入力の有無にかかわらず、送信部２と受信部３との通信状態が、送信部２及び受信部３の電源がＯＦＦになるまで続く。すなわち、本遠隔操作装置では、１回目の通信状態を、テスト用の仮通信状態とし、この２回目の通信状態を、本通信状態としている。
上記したように、本実施例にかかる遠隔操作装置１によれば、音の出力を遠隔指示するためにものであり、音出力信号を入力するための８つの入力部２１１，２１２，２１３，２１４，２１５，２１６，２１７，２１８がそれぞれ独立して設けられた送信部２と受信部３とが無線接続され、８つの入力部２１１，２１２，２１３，２１４，２１５，２１６，２１７，２１８から入力した各音出力信号は、それぞれ独立して送信部２から受信部３に送信され、受信部３に送信された各音出力信号それぞれに基づいた各音出力命令信号が受信部３から外部音響機器４に出力されるので、作業人（例えば、演者や患者など）及びスタッフ（例えば、音響担当や医療担当）の負担を軽減することができる。
すなわち、本実施例にかかる遠隔操作装置１を、娯楽や演劇の分野で用いた場合、送信部２を、音の出力を指示する演者に持たせることで、演者が入力部２１から入力した音出力信号が、送信部２から受信部３に送信され、音出力信号に基づいた音出力命令信号が受信部３から外部音響機器４に出力されて、演者が欲する音が出力される。そのため、作業人が演者の場合、上演中に演者の音響に関する思想をそのまま反映させて音を発することができる。また、演者の音を発する指示を音響担当のスタッフが確認する必要がない。また、演者と音響担当のスタッフとの事前の音合わせの打合せ内容を軽減することができ、音合わせにかかる費用を抑制することができる。また、本発明によれば、送信部２に音出力信号を入力するための８つの入力部２１１，２１２，２１３，２１４，２１５，２１６，２１７，２１８がそれぞれ独立して設けられているので、入力部２１１，２１２，２１３，２１４，２１５，２１６，２１７，２１８を、入力部２１を付けたい演者の身体の各部位に対応する位置に付し（例えば、ジャケットの裏側の袖部や胸部、または靴の中などに付し）、入力部２１を付けたい各部位に付した入力部２１１，２１２，２１３，２１４，２１５，２１６，２１７，２１８における各音出力信号による各音出力の内容を変えることで、演者の自然なしぐさに伴って各入力部２１１，２１２，２１３，２１４，２１５，２１６，２１７，２１８のいずれかから音出力信号を入力することができる。そのため、演技の邪魔をせずに演者による音の出力指示を行なうことが容易になる。また、これは、観客参加型の演劇中の際、観客はどのようにして音が発しているのか分からず、観客の興味をひかせるのに好適である。なお、ここでは、演劇や舞台やコンサートなどの音響機器に用いた場合について説明しているが、使用場所は限定されるものではなく、遊具として用いてもよく、また下記するようにリハビリテーション用装置として用いてもよい。
次に、本発明にかかる遠隔操作装置１を、医療の分野（例えば、リハビリテーションなど）で用いた場合、送信部２を、音の出力指示を行なう患者に持たせることで、患者が入力部２１から入力した音出力信号が、送信部２から受信部３に送信され、音出力信号に基づいた音出力命令信号が受信部３から外部音響機器４に出力されて、患者が入力した音出力信号に基づく音が出力される。これは、患者の身体の各部位（例えば、手足など）が正常に動くか否かを検査する際に有効に利用可能である。また、本発明によれば、送信部２に音出力信号を入力するための８つの入力部２１１，２１２，２１３，２１４，２１５，２１６，２１７，２１８がそれぞれ独立して設けられているので、入力部２１１，２１２，２１３，２１４，２１５，２１６，２１７，２１８を、身体の各部位に対応する位置に付し、各部位に付した入力部における各音出力信号による各音出力の内容を変えることで、検査を行ないたい患者の各部位が正常に動いているか否かを、スタッフ（医者や看護士など）だけでなく、患者自身も確認することができ、患者のリハビリテーションの意欲を高めるのに好ましい。
また、送信部２と受信部３とは、図２（ａ）に示すように、一度通信状態とした後に自動的に非通信状態となり、その後に再度通信状態とした際にこの通信状態を続けるように設定されるので、２回目の通信状態以降、送信部２と受信部３とが常に通信状態として非通信状態における音の入力と出力とのタイムラグ（図２では０．５秒）を無くすことができる。すなわち、特に、本実施例にかかる遠隔操作装置１を、娯楽や演劇の分野で用いた場合、入力部２１からの音出力信号の入力と、外部音響機器４からの音出力とのタイムラグを無くすことで、上演中に演者の音響に関する思想をそのまま反映させて音を発するのに好ましい。なお、本実施例の設定を行なっていない場合、図２（ｂ）に示すように、通信状態と非通信状態とが交互に繰り返した設定となる。そのため、娯楽や演劇の分野で用いることは好ましくない。また、本実施例では、図２（ａ）に示すように、２度通信状態とするので、最初の通信状態（図２（ａ）に示す仮通信状態）において各入力部２１１，２１２，２１３，２１４，２１５，２１６，２１７，２１８への音出力信号の入力に対する外部音響機器４から発する音の確認を行なうことができ、娯楽や演劇の分野で用いるのに好ましい。
また、入力部２１にはスイッチ部が設けられるので、音出力信号の入力を作業人（例えば、演者など）の動作や仕草により容易に行なうことができる。
また、８つの入力部２１１，２１２，２１３，２１４，２１５，２１６，２１７，２１８は、送信部２に設けられた入力部接続端子２２を介して取り外し可能に接続されているので、送信部２をポータブル装置として用いることができ、例えば、入力部２１１，２１２，２１３，２１４，２１５，２１６，２１７，２１８を服に付けている場合、すべての入力部２１１，２１２，２１３，２１４，２１５，２１６，２１７，２１８を取り外さずに、送信部２から入力部２１を取り外して送信部２だけを持ち運び、この送信部２を他の服などに付けられた入力部２１に接続させることができる。
なお、本実施例では、入力部が、８つ設けられているが、これに限定されるものではなく、送信部２に入力部が複数設けられていれば、入力部の数は任意に設定可能である。また、具体的に、本実施例では、Ｄ−ＳＵＢ９ピンを入力部２１の接続端子として用いているが、これに限定されるものではなく、Ｄ−ＳＵＢ２５ピンであってもよい。また、ミニフォンジャックやピンジャックを入力部２１の接続端子として用いてもよい。
また、本実施例では、入力部２１が入力部接続端子２２を介して送信部２に装脱可能に接続されているが、これは好適な例であって、入力部２１が送信部２に装脱不可能（常時接続状態）に設けられてもよい。
また、本実施例では、図１に示すように、８つの入力部２１１，２１２，２１３，２１４，２１５，２１６，２１７，２１８としてそれぞれ個別のものを用いているが、これに限定されるものではなく、例えば、８つのうち２つの入力部が一体形成されたものであってもよい。すなわち、８つの入力部２１１，２１２，２１３，２１４，２１５，２１６，２１７，２１８から入力する音出力信号がそれぞれ独立していれば入力部２１１，２１２，２１３，２１４，２１５，２１６，２１７，２１８自体の形状は任意に設定してもよい。
なお、本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
また、本件発明に関する従来技術を、特許電子図書館の公報テキスト検索を用いて調査したが、本件発明に関する従来技術を発見することはできなかった。
【産業上の利用可能性】
【０００７】  本発明は、娯楽，演芸、医療などの分野で用いられる音響設備に適用できる。
【図面の簡単な説明】
【０００８】
【図１】  図１は、本実施例にかかる遠隔操作装置の概略構成ブロック図である。
【図２】  図２（ａ）は、本実施例の設定を行なった遠隔操作装置による通信状態及び非通信状態を示した図である。図２（ｂ）は、本実施例の設定を行なっていない遠隔操作装置よる通信状態及び非通信状態を示した図である。
【符号の説明】
【０００９】１  遠隔操作装置
２  送信部
２１（２１１，２１２，２１３，２１４，２１５，２１６，２１７，２１８）  入力部
２２  入力部接続端子
２３  送信ユニット
２４  電源スイッチ部
２５  電源部
２６  アンテナ部
３  受信部
３１  アンテナ部
３２  受信ユニット
３３  電源スイッチ部
３４  電源部
４  外部音響機器
【図１】
2007068134.tif 000003
【図２】
2007068134.tif 000004